(57)【要約】【課題】引裂補助線が形成されたシートをロール状に巻いたときに、引裂補助線の位置に形成される盛り上がりを抑制することができる引裂補助線の形成方法及び引裂補助線の形成装置を提供する。【解決手段】帯状のシート１を当該シート１の長手方向に送り出しながら、引き裂きの向きを誘導する引裂補助線１１をシート１の長手方向に形成する引裂補助線１１の形成方法であって、引裂補助線１１を形成する形成手段は、長手方向に直交する方向としてのシート１の幅方向に変わる所定形態の引裂補助線１１をシート１の長手方向に形成する引裂補助線１１の形成方法によって上記の課題を解決する。形成は、形成ローラをシートに押し当てたり、レーザーをシート１に照射したりして行う。【選択図】図３
2018111269.tif 000002
【特許請求の範囲】
【請求項１】
帯状のシートを当該シートの長手方向に送り出しながら、引き裂きの向きを誘導する引裂補助線を前記シートの長手方向に形成する引裂補助線の形成方法であって、
前記引裂補助線を形成する形成手段は、前記引裂補助線を前記シートの幅方向に位置を連続的又は断続的に変えて前記長手方向に形成することを特徴とする引裂補助線の形成方法。
【請求項２】
前記形成手段が前記引裂補助線の幅を１０μｍ以上１００μｍ以下に形成する、請求項１に記載の引裂補助線の形成方法。
【請求項３】
前記形成手段が前記引裂補助線の幅を３０μｍ以上７０μｍ以下に形成する、請求項２に記載の引裂補助線の形成方法。
【請求項４】
前記形成手段が、特定の基準線の両側に前記引裂補助線を該引裂補助線の幅の２分の１倍以上の位置に周期的に変えて形成する、請求項１〜３のいずれか１項に記載の引裂補助線の形成方法。
【請求項５】
前記形成手段は、前記引裂補助線を、前記シートの一面側と他面側とを貫通させた貫通部を前記長手方向に一定の間隔を空けて連ねてなるミシン目として形成し、
当該引裂補助線の前記シートの幅方向に変えられる距離が前記ミシン目をなす貫通部の幅の５倍以下の範囲内に形成する、請求項１〜４のいずれか１項に記載の引裂補助線の形成方法。
【請求項６】
前記形成手段は、前記貫通部の長さと、該貫通部同士の間に位置する非貫通部の長さとの前記長さ方向の割合を１：９から９：１の範囲に形成する、請求項５に記載の引裂補助線の形成方法。
【請求項７】
前記シートを、その幅方向に移動させることなく固定して前記引裂補助線を形成し、前記引裂補助線が形成された後にロール状に巻き取られる、請求項１〜６のいずれか１項に記載の引裂補助線の形成方法。
【請求項８】
帯状のシートを当該シートの長手方向に移動させながら、引き裂きの向きを誘導する引裂補助線を前記シートの長手方向に形成する引裂補助線の形成ローラであって、
複数の形成刃が周方向に連ねて周面に設けられ、
当該形成刃の当該形成ローラの幅方向の位置が、当該形成ローラの周方向の所定の長さ毎に連続的又は断続的に変えて設けられていることを特徴とする形成ローラ。
【発明の詳細な説明】
【技術分野】
【０００１】
本発明は、引き裂き補助線の形成方法及びその形成方法に用いる形成ローラに関し、さらに詳しくは、予定された仮想線に沿わせてシートを引き裂く位置及び方向を誘導することを補助するための引き裂き補助線をシートに形成する引き裂き補助線の形成方法及びその形成方法に用いる形成ローラに関する。
【背景技術】
【０００２】
包装袋の中には、内容物を取り出したり注出したりするときに、包装袋を開封し易くための構成を備えた包装袋がある。予定された線に沿わせてシートを引き裂くことができるように、引き裂く位置及び方向を誘導することを補助するための補助線（本明細書では、この補助線を「引裂補助線」という。）は、包装袋を開封し易くための構成の一例である。
【０００３】
これまでに、引裂補助線を形成する方法は、様々な形態の方法が提案されている。包装袋を構成するシートに予め引裂補助線を形成しておくことは、引裂補助線を形成する方法の１つである。
【０００４】
特許文献１には、複数のフィルムの積層体からなる包装材において、積層されたフィルムの中のいずれかのフィルムに引き裂き誘導線が形成された包装材とその製造方法が提案されている。引き裂き誘導線は、間歇的に設けた連結部を残した切断線により構成されている。この引き裂き誘導線の形成は、帯状のフィルムをその長手方向に連続的に送り出す工程の途中で、カッターをフィルムに押し当てて行っている。そのため、フィルムに形成された引き裂き誘導線は、フィルムの幅方向の同一の位置にてフィルムの長手方向に延びた形態に形成される。
【０００５】
特許文献２には、軟包材にレーザービームを照射して易引き裂き部を形成する方法が提案されている。この方法では、軟包材は、複数の層に巻かれて筒状に形成された軟包材原反から送り出されており、易引き裂き部が軟包材の幅方向の同一の位置に軟包材の長手方向に延びる形態に形成されている。
【先行技術文献】
【特許文献】
【０００６】
【特許文献１】特開２００４−３３１２２３号公報
【特許文献２】特開平１０−３１６１５２号公報
【発明の概要】
【発明が解決しようとする課題】
【０００７】
しかしながら、特許文献１で提案されている形成方法で形成された引き裂き誘導線や、特許文献２で提案されている形成方法で形成された易引き裂き部には、以下に説明する不都合な点がある。なお、以下では、特許文献１の引き裂き誘導線及び特許文献２の易引き裂き部を「引裂補助線」とよび、この引裂補助線が形成される部材を「シート」とよんで説明する。
【０００８】
引裂補助線をシートに形成した後に、シートを巻き付けて円筒状にした場合、すなわち、シートをロール状に巻いてシートロールを形成した場合、引裂補助線の位置がシートの幅方向の同一位置に重ね合わされてしまう。
【０００９】
特許文献１により提案されている形成方法のように、カッターをシートに押し当てて引裂補助線を形成した場合、引裂補助線の幅方向の両側にいわゆるバリが発生してしまう。このバリは、シートの厚さ方向に突出した形態をなし、シートの厚さ方向に盛り上がり部を形成してしまう。
【００１０】
特許文献２により提案されている形成方法のように、レーザービームを照射してシートに引裂補助線を形成した場合、アブレーションが起きる結果、例えば、図９に示すように、引裂補助線４１の幅方向の両側に盛り上がり部５０が形成されてしまう。
【００１１】
特許文献１や特許文献２により提案されている方法で引裂補助線をシートに形成した場合、引裂補助線はシートの幅方向の同一位置に形成される。そのため、引裂補助線をシートに形成した後に、シートをロール状に巻いてシートロールを形成した場合、引裂補助線の両側に形成された盛り上がり部がシートロールの径方向に積み重ねられた形態になる。
【００１２】
この場合、シートには、引裂補助線を中心としてシートの幅方向に引っ張り力が作用して、シートが裂けてしてしまうことがある。とりわけ、シートに大きな引っ張り力を加えてロール状に巻いてシートロールを形成した場合、シートが裂けやすい。一方、シートが引裂補助線の位置で引き裂かれることを防止するために、シートを巻き取る際に小さな引張力しかかけない場合、シートを搬送している最中や保管している最中に巻ずれが生じてしまう。
【００１３】
本発明は、上記課題を解決するためになされたものであって、その目的は、引裂補助線が形成されたシートをロール状に巻いたときに、引裂補助線の位置でシートが引き裂かれることを抑制するとともに巻ずれが発生することを抑制することができる引裂補助線の形成方法及びその形成方法に用いる形成ローラを提供することにある。
【課題を解決するための手段】
【００１４】
上記課題を解決するための本発明に係る引裂補助線の形成方法は、帯状のシートを当該シートの長手方向に送り出しながら、引き裂きの向きを誘導する引裂補助線を前記シートの長手方向に形成する引裂補助線の形成方法であって、前記引裂補助線を形成する形成手段は、前記引裂補助線を前記シートの幅方向に位置を連続的又は断続的に変えて前記長手方向に形成することを特徴とする。
【００１５】
この発明によれば、形成手段が、引裂補助線をシートの幅方向に位置を連続的又は断続的に変えて長手方向に形成するので、引裂補助線を形成した後にシートをロール状に巻いたときに、引裂補助線の位置をシートの幅方向にずらすことができる。そのため、引裂補助線を形成するときに、引裂補助線の両側にバリが生じたり、アブレーションにより発生した盛り上がり部が形成されたりした場合でも、バリや盛り上がり部の位置が相互に重ね合わされることが防止される。
【００１６】
本発明に係る引裂補助線の形成方法は、前記形成手段において、前記引裂補助線の幅を１０μｍ以上１００μｍ以下に形成する。とりわけ、前記形成手段が前記引裂補助線の幅を３０μｍ以上７０μｍ以下に形成するとよい。
【００１７】
この発明によれば、引裂補助線の幅を上記の範囲内に形成するので、シートを引き裂くときに、引裂補助線を利用して、予定された仮想的な線に沿って容易に引き裂くことができると共に、シートに予期しない外力が加わった場合でも、引裂補助線の位置でシートが引き裂かれてしまうことを抑制することができる。
【００１８】
本発明に係る引裂補助線の形成方法は、前記形成手段において、特定の基準線の両側に前記引裂補助線を該引裂補助線の幅の２分の１倍以上の位置に周期的に変えて形成する。
【００１９】
この発明によれば、特定の基準線の両側に前記引裂補助線を該引裂補助線の幅の２分の１倍以上の位置に周期的に変えて形成するので、シートをロール状に巻いたときに、引裂補助線の形成時に発生した盛り上がり部の位置がシートの幅方向に重ねられることを防止することができる。
【００２０】
本発明に係る引裂補助線の形成方法は、前記形成手段において、前記引裂補助線を、前記シートの一面側と他面側とを貫通させた貫通部を前記長手方向に一定の間隔を空けて連ねてなるミシン目として形成し、当該引裂補助線の前記シートの幅方向に変えられる距離が前記ミシン目をなす貫通部の幅の５倍以下の範囲内に形成する。
【００２１】
この発明によれば、引裂補助線を、シートの一面側と他面側とを貫通させた貫通部を長手方向に一定の間隔を空けて連ねてなるミシン目として形成した場合に、この引裂補助線のシートの幅方向に変わる距離を、ミシン目をなす貫通部の幅の５倍以下の範囲内に形成するので、シートを引裂補助線に沿わせて、予定された仮想線の位置で引き裂く場合に、引裂補助線からの位置から外れてシートが引き裂かれてしまうことが防止され、予定された仮想線に沿って引き裂くことを可能にすることができる。
【００２２】
本発明に係る引裂補助線の形成方法は、前記形成手段において、前記ミシン目を構成する前記貫通部の長さと、該貫通部同士の間に位置する非貫通部の長さとの前記長さ方向の割合を１：９から９：１の範囲に形成する。
【００２３】
この発明によれば、シートの一面側と他面側とが貫通してなる貫通部を長手方向に一定の間隔を空けて連ねて形成した場合に、貫通部の長さと非貫通部の長さとの長手方向の割合を上記の範囲に形成するので、貫通部と貫通部との間で引き裂きを確実に伝搬させ、予定された仮想の線の位置でシートを引き裂くことができる。
【００２４】
本発明に係る引裂補助線の形成方法において、前記シートを、その幅方向に移動させることなく固定して前記引裂補助線を形成し、前記引裂補助線が形成された後に前記シートがロール状に巻き取られる。
【００２５】
この発明によれば、シートを、その幅方向に移動させることなく固定して引裂補助線を形成し、引裂補助線が形成された後にシートがロール状に巻き取られるので、引裂補助線の形成時にシートにしわが発生することやシートに形成手段が接触したときに形成手段がシートを破損させること等を抑制することができる。
【００２６】
上記課題を解決するための本発明に係る引裂補助線の形成するための形成ローラは、帯状のシートを当該シートの長手方向に移動させながら、引き裂きの向きを誘導する引裂補助線を前記シートの長手方向に形成する引裂補助線の形成ローラであって、複数の形成刃が周方向に連ねて周面に設けられ、当該形成刃の当該形成ローラの幅方向の位置が、当該形成ローラの周方向の所定の長さ毎に連続的又は断続的に変えて設けられていることを特徴とする。
【００２７】
この発明によれば、複数の形成刃が周方向に連続的又は断続的に周面に設けられ、形成刃の形成ローラの幅方向の位置が形成ローラの周方向の所定の長さ毎に変えて設けられているので、形成ローラをシートの幅方向に移動させたり、シートをその幅方向に移動させたりしないで、シートの幅方向の異なる位置に所定形態の引裂補助線をシートの長手方向に形成することができる。そのため、引裂補助線の両側に発生するバリの位置が相互に重ね合わされることが防止され、シートをロール状に巻いたときに、引裂補助線の位置でシートが径方向に盛り上がることを抑制することができる。その結果、ロール状に巻かれたシートに引裂補助線の位置を中心として外側に向かう引張応力の発生が抑制され、引裂補助線の位置でシートが引き裂かれてしまうことを抑制できる。また、シートの長手方向に一定のテンションを掛けてロール状に巻くことができ、シートの巻崩れが生じることを抑制することが可能になる。
【発明の効果】
【００２８】
本発明によれば、引裂補助線が形成されたシートをロール状に巻いたときに、引裂補助線の位置がシートの幅方向ずれるので、シートをロール状に巻いたときに、引裂補助線の両側に形成された盛り上がり部が径方向に積み重ねられることを防止することができる。その結果、引裂補助線の位置でシートが引き裂かれたり、シートの巻崩れが生じたりすることを抑制することが可能になる。
【図面の簡単な説明】
【００２９】
【図１】本発明に係る一実施形態の形成方法で引裂補助線を形成する概要を示す概要図である。
【図２】図１に示した形成方法で形成された引裂補助線の詳細を示す説明図である。
【図３】引裂補助線の種々のパターンを説明するための説明図である。
【図４】引裂補助線の曲線部分を構成する貫通部の形態を説明するための説明図である。
【図５】引裂補助線を形成するための形成ローラの概要を示す概要図である。
【図６】図５のＡ部の拡大図である。
【図７】図３に示した形成ローラに設けられた形成刃の配列形態を示す説明図である。
【図８】図３に示した引裂補助線とは別形態の引裂補助線の種々のパターンを説明するための説明図である。
【図９】レーザーを照射して形成された引裂補助線の部分を拡大して模式的に示したシートの模式図である。
【発明を実施するための形態】
【００３０】
以下、本発明の実施形態について図面を参照しながら説明する。なお、本発明の技術的範囲は、以下の記載や図面にのみ限定されるものではない。
【００３１】
［全体構成］
本発明に係る引裂補助線１１，４１の形成方法は、例えば、図１に示すように、帯状のシート１を、その長手方向に送り出しながら、引き裂きの向きを誘導する引裂補助線１１，４１をシート１の長手方向に形成する引裂補助線１１，４１の形成方法である。この引裂補助線１１，４１の形成方法では、引裂補助線１１，４１を形成する形成手段は、引裂補助線１１，４１をシート１の幅方向に位置を連続的又は断続的に変えて長手方向に形成する。「シートの幅方向」とは、帯状のシート１の長手方向に直交する方向である。この場合において、引裂補助線１１，４１がシート１の幅方向に位置を連続的又は断続的に変えて形成される形態であれば、引裂補助線１１，４１は、長手方向に周期的に変化する形態、及びランダムに変化する形態のいずれであってもよい。本実施形態では、理解を容易にするために、長手方向に周期的に変化する形態をメインに説明する。
【００３２】
なお、上述したように、本明細書において、「引裂補助線」とは、予定された線に沿わせてシートを引き裂くことができるように、引き裂きの位置及び方向を誘導することを補助するための補助線を意味する。また、「連続的」とは、引裂補助線１１，４１が描く軌跡や形成刃２１が並べられて描かれる軌跡に不連続になる切れ目が存在しないことを意味し、「断続的」とは軌跡に不連続となる切れ目が存在することを意味する。
【００３３】
シート１は、本発明に係る引裂補助線１１，４１の形成方法により引裂補助線１１，４１が形成されるものであり、厚さが薄い部材を意味する。シート１の材質は特に限定されず、プラスチック、紙、金属など種々の材質を挙げることができる。
【００３４】
シート１に形成される引裂補助線としては、図２から図４に示したタイプと、図８に示したタイプを代表的な例として挙げることができる。図２から図４に示した引裂補助線は、シートの厚さ方向を貫通してなる複数の貫通部が一定の間隔を空けて形成されたタイプである。これに対し、図８に示した引裂補助線は、シートの一面側から厚さ方向の途中までに溝を形成してなるハーフカット線のタイプである。
【００３５】
図２から図４に示した引裂補助線は、加工用の刃物をシートに押し付けて引裂補助線を形成する接触式の方法により形成される。接触式の形成方法としては、周面に形成刃２１を有する円筒状の形成ローラ２０、例えば、ダイカットロールを備えた形成装置を用い、連続的に送られるシート１に形成刃２１を押し当て形成刃２１でシート１を打ち抜く方法や、連続的又は間歇的に送られるシート１に形成刃２１、例えば、トムソン刃を断続的に押し当てて打ち抜く方法を挙げることができる。
【００３６】
図８に示した引裂補助線は、レーザーをシートに照射して引裂補助線を形成する非接触式の方法により形成される。具体的に、非接触式の形成方法としては、形成手段としてレーザー照射手段を用い、シート１にレーザーを照射する方法を挙げることができる。
【００３７】
本発明に係る引裂補助線１１，４１の形成方法では、形成手段の全体をシート１の幅方向に移動させるのではなく、シート１の表面に対向してシート１に引裂補助線１１を形成する部分のみを局部的に幅方向にずらすか、又はシート１の表面に対向してシート１に引裂補助線４１を形成する部分の形状の変化を利用して引裂補助線１１，４１を形成している。
【００３８】
本発明に係る引裂補助線１１，４１の形成方法によれば、引裂補助線１１，４１が形成されたシート１をロール状に巻いたときに、引裂補助線１１，４１の位置がシート１の幅方向ずれるので、シート１をロール状に巻いたときに、引裂補助線１１，４１の両側に形成された盛り上がり部５０が径方向に積み重ねられることを防止することができる。その結果、引裂補助線１１，４１の位置でシートが引き裂かれたり、シートの巻崩れが生じたりすることを抑制することができるという特有の効果を奏する。
【００３９】
［引裂補助線の形成方法の概略］
シート１は、帯状をなしており、図１に示すように、案内ローラ５，６等で案内されながらその長手方向に送り出される。シート１は、送られている途中で、形成手段により引裂補助線１１が形成される。図１に示す例では、形成手段として形成ローラ２０が用いられ、シート１の一面側から形成ローラ２０が押し当てられることによって引裂補助線１１が形成されている。形成手段としての形成ローラ２０が設けられた位置には、他面側からシート１を支持しつつシート１を送り方向に案内している支持ローラ７が設けられている。この形成方法は、シート１の一面側と他面側とが貫通させた貫通部１０ａを長手方向に一定の間隔を空けて連ねてなるミシン目を形成することによって、引裂補助線１１を形成している。
【００４０】
シート１は、引裂補助線１１が形成される前、図１の左側に示すように、その長手方向に巻かれて径方向に複数の層をなすロール状のシートロール２をなしている。また、シート１は、引裂補助線１１が形成された後、図１の右側に示すように、径方向に複数の層をなすロール状のシートロール３の形態に巻かれる。
【００４１】
［引裂補助線の詳細］
図２は、シートに形成された引裂補助線１１の詳細を示している。引裂補助線１１は、この図２に示すように、シート１の厚さ方向を貫通する複数の貫通部１０ａがシート１の長手方向に一定の間隔を空けてなるミシン目が形成される。ミシン目を構成する貫通部１０ａの長さと、各貫通部１０ａ同士の間に位置する非貫通部１０ｂの長さとは、貫通部１０ａの長さと非貫通部１０ｂの長さとの割合が１：９から９：１の範囲に形成され、好ましくは、３：７から７：３の範囲に形成される。
【００４２】
ミシン目において、貫通部１０ａの長さと非貫通部１０ｂの長さとの割合が１：９よりも貫通部１０ａの割合が小さい場合、貫通部１０ａ同士の距離が離れすぎることになる。そのため、引裂補助線１１の位置でシート１を引き裂くときに、隣り合う貫通部１０ａの間で、一の貫通部１０ａから他の貫通部１０ａに引き裂きを伝搬させることが困難になる。その結果、引裂補助線１１に沿ってシート１を引き裂くことが困難になる。これに対し、貫通部１０ａの長さと非貫通部１０ｂの長さとの割合が９：１よりも貫通部１０ａの割合が小さい場合、貫通部１０ａ同士が接近しすぎることになる。そのため、シート１は、シート１に小さな外力が加わった場合に、引裂補助線１１の位置でシート１が引き裂かれるおそれがある。
【００４３】
また、引裂補助線１１の幅は、１０μｍ以上、１００μｍ以下に形成するとよく、好ましくは、３０μｍ以上、７０μｍ以下に形成するとなおよい。引裂補助線１１の幅を１０μｍ以上、１００μｍ以下の範囲に形成することによって、シート１を引裂補助線１１に沿って円滑に引き裂くことができる。
【００４４】
これに対し、引裂補助線１１の幅が１０μｍよりも小さい場合、引裂補助線１１が引裂の誘導線として有効に機能しないことがあり、シート１を引裂補助線１１に沿って引き裂くことができないことがある。一方、引裂補助線１１の幅を１００μｍよりも大きくした場合、シート１に予期しない外力が加わったときに引裂補助線１１の位置でシート１が引き裂かれてしまうおそれがある。
【００４５】
［引裂補助線の様々な形態］
引裂補助線１１は、シート１の幅方向の位置を連続的に変えて長手方向に周期的に形成された形態と、シート１の幅方向の位置を断続的に変えて長手方向に周期的に形成する形態とがある。図３（Ｉ）から図３（ＩＩＩ）を参照し、シート１に形成される様々な形態の引裂補助線１１について説明する。
【００４６】
図３（Ｉ）に示す引裂補助線１１ａは、シート１の幅方向の位置を連続的に変えて長手方向に周期的に形成された形態である。この引裂補助線１１ａは、曲線がシート１の長手方向に繰り返し形成され、波形を描くように形成されている。曲線がシート１の長手方向に繰り返し形成される形態としては、例えば正弦波を挙げることができる。
【００４７】
具体的に、引裂補助線１１ａの位置は、シート１の長手方向を移動するにしたがって、所定の中心位置からシート１の幅方向の片側に向かって徐々に離れ、一定の距離を進んだ位置で再び所定の中心位置に徐々に近づく。引裂補助線１１ａの位置は、さらにシート１の長手方向を移動すると、所定の中心位置からシート１の幅方向の逆の片側に向かって徐々に離れ、一定の距離を進んだ位置で再び所定の中心位置に向かって徐々に近づく。この形態がシート１の長手方向に繰り返されて形成され、引裂補助線１１ａは、一定の周期でシート１の幅方向に振幅し、山谷をなす波形がシート１の長手方向に連なり、正弦波を描くように形成される。
【００４８】
引裂補助線１１ａの振幅の方向はシート１の幅方向に一致され、引裂補助線１１ａの波形がシート１の長手方向に連なる形態をなして、引裂補助線１１ａは形成される。引裂補助線１１ａの波長は、必要に応じ、シート１の長手方向に一定の長さ、又は、異なる長さに形成される。
【００４９】
図３（ＩＩ）に示す引裂補助線１１ｂは、シート１の幅方向の位置を断続的に変えて長手方向に周期的に形成された形態である。この引裂補助線１１ｂは、複数の貫通部１０ａが一定の長さだけ連ねて形成された貫通部の群１２がシート１の長手方向に千鳥状に配置されて形成されている。具体的に、引裂補助線１１ｂは、シート１の幅方向にわずかな間隔を空けた２地点に、複数の貫通部の群１２がシート１の長手方向に複数連ねられた形態に形成される。各貫通部の群１２は、複数の貫通部１０ａがシート１の長手方向に一定の間隔を空けて、一定の長さにそれぞれ形成される。複数の貫通部の群１２は、シート１の長手方向に千鳥状をなしている。
【００５０】
貫通部の群１２の各々の長さは、必要に応じ、シート１の長手方向に一定に形成させたり、異なる長さに形成させたりすることができる
【００５１】
図３（ＩＩＩ）に示す引裂補助線１１ｃは、シート１の幅方向の位置を連続的に変えて長手方向に周期的に形成された形態である。この引裂補助線１１ｃは、直線部１３ａと曲線部１３ｂとがシート１の長手方向に交互に形成されている。具体的に、直線部１３ａは、複数の貫通部１０ａがシート１の長手方向に一定の間隔を空けて並べて形成された直線状をなす貫通部の群であり、曲線部１３ｂは、複数の貫通部１０ａが一定の間隔を空けて並べて形成された曲線状をなす貫通部の群である。
【００５２】
曲線部１３ｂの形状は、特に限定されないが、例えば、正弦波を描くようにして形成させたり、円弧を描くように形成させたりして設けることができる。また、曲線部１３ｂは、直線部１３ａを境として、シート１の幅方向の両側に交互に形成してもよく、一方側にのみ形成してもよい。
【００５３】
引裂補助線１１ｃのシート１の長手方向に関する直線部１３ａ同士の長さ及び曲線部１３ｂ同士の長さは、必要に応じて相互に同じ長さに形成したり、各々異なる長さに形成したりすることができる。
【００５４】
ここで、図３（Ｉ）や図３（ＩＩＩ）に示した引裂補助線１１ａ，１１ｃのように曲線の部分を有する形態の貫通部１０ａの向きの詳細について説明する。貫通部１０ａの向きは、図４（Ｉ）及び図４（ＩＩ）に示すように、２つのタイプに大別される。
【００５５】
図４（Ｉ）は、第１タイプの貫通部１０ａの向きを示している。第１タイプの向きをなす貫通部１０ａからなる引裂補助線１１では、個々の貫通部１０ａの向きは相互に一致しており、貫通部１０ａ同士は相互に並行をなしている。引裂補助線１１の曲線の部分は、相互に平行をなす複数の貫通部１０ａがシート１の幅方向（図４の左右方向）に順次にシフトされることにより形成される。したがって、各貫通部１０ａが延びる向きと、各貫通部１０ａが形成された各々の位置で引裂補助線１１が延びる方向とは一致していない。
【００５６】
図４（ＩＩ）は、第２タイプの貫通部１０ａの向きを示している。第２タイプの向きをなす貫通部１０ａからなる引裂補助線１１では、各貫通部１０ａの向きは、シート１の長手方向を移動するにしたがって順次に変更されている。そのため、各貫通部１０ａが延びる方向と各貫通部１０ａの位置がシフトする方向とは一致している。
【００５７】
以上に説明した引裂補助線１１は、特定の基準線の両側に引裂補助線１１を、引裂補助線１１の幅の２分の１倍以上の位置に周期的に変えて形成される。具体的に図３（Ｉ）から図３（ＩＩＩ）の各形態について詳細を説明する。
【００５８】
図３（Ｉ）に示した正弦波をなす引裂補助線１１ａでは、所定位置をなす中心からシート１の幅方向の一方側に最も離れた位置と所定位置との間の距離は、引裂補助線１１ａの幅の２分の１倍以上となる。同様に、所定位置をなす中心からシート１の幅方向の他方側に最も離れ位置と所定位置との間の距離は、引裂補助線１１ａの幅の２分の１倍以上となる。
【００５９】
図３（ＩＩ）に示した千鳥状をなす引裂補助線１１ｂでは、シート１の幅方向の２地点の間隔は、形成される引裂補助線１１ｂの幅以上となる。すなわち、引裂補助線１１ｂを構成している貫通部の群１２と貫通部の群１２におけるシート１の幅方向の間隔は、所定位置をなす中心よりもシート１の幅方向の一方側に位置する貫通部の群１２の位置と中心との間の距離は、引裂補助線１１ｂの幅の２分の１倍以上となる。同様に、中心よりもシート１の幅方向の他方側に位置する貫通部の群１２の位置と中心との間の距離は、引裂補助線１１ｂの幅の２分の１倍以上となる。
【００６０】
図３（ＩＩＩ）に示した直線部１３ａと曲線部１３ｂとからなる引裂補助線１１ｃでは、所定位置の直線部１３ａと、曲線部１３ｂにおける、直線部１３ａからシート１の幅方向の一方側に最も離れ位置との間の距離は、引裂補助線１１ｃの幅の２分の１倍以上となる。同様に、所定位置の直線部１３ａと、曲線部１３ｂにおける直線部１３ａからシート１の幅方向の他方側に最も離れ位置との間の距離は、引裂補助線１１ｃの幅の２分の１倍以上となる。
【００６１】
上記のように引裂補助線１１をそれぞれ形成した後にシート１をロール状に巻いた場合、引裂補助線１１の位置を、内側のシート１の層と外側のシート１の層とでシート１の幅方向にずらすことができる。そのため、引裂補助線１１を形成する際に形成されたバリの位置がシート１の幅方向にずれ、内側のシート１の層に形成されたバリと外側のシート１の層に形成されたバリとが重なり合うことが防止される。
【００６２】
バリの位置が相互に重ね合わされることが防止される結果、シート１に負荷が加わることが抑制され、引裂補助線１１の位置でシート１が引き裂かれてしまうことを抑制できる。また、シート１の長手方向に一定の引っ張り力を掛けてロール状に巻くことができ、シート１の巻崩れが生じることを抑制することが可能になる。
【００６３】
一方、引裂補助線１１のシート１の幅方向の異なる位置に変わる距離は、貫通部１０ａの幅の５倍以下に形成される。仮に、引裂補助線１１のシート１の幅方向の異なる位置に変わる距離が、貫通部１０ａの幅の５倍よりも大きく形成した場合、隣り合う貫通部１０ａの間において、一の貫通部１０ａから他の貫通部１０ａに引き裂きが円滑に伝搬されず、引裂補助線１１に沿ってシート１を引き裂くことが困難になる。これに対し、引裂補助線１１がシート１の幅方向に変わる距離を貫通部１０ａの幅の５倍以下に形成した場合、シート１を引裂補助線１１の位置で引き裂く場合に、引裂補助線１１からの位置から外れてシート１が引き裂かれてしまうことが防止される。
【００６４】
［形成ローラ］
次に、引裂補助線を形成する形成手段をなす形成ローラ２０の構成について、図５から図７を参照して説明する。なお、本明細書では、形成ローラ２０の円周の方向を形成ローラ２０の「周方向」とし、周方向に対して直交する方向を形成ローラ２０の「幅方向」という。
【００６５】
形成ローラ２０は、図５及び図６に示すように、周面に複数の微細な形成刃２１を有している。形成刃２１は、高さ及び形成ローラ２０の周方向の長さが共に小さく形成されており、周方向に連ねて設けられている。形成ローラ２０としては、例えば、ダイカットロールが用いられる。この形成ローラ２０において、形成刃２１の形成ローラ２０の幅方向の位置は、形成ローラ２０の周方向の所定の長さ毎に周期的に連続的又は断続的に変えて設けられている。形成刃２１の位置が変わる周期は、一定でもよく、異なっていてもよい。形成刃２１の高さは、形成ローラ２０の直径の０．２％以上、２．０％以下の寸法である。
【００６６】
形成刃２１は、例えば、図７（Ｉ）から図７（ＩＩＩ）に示す様々なパターンをなして形成ローラ２０の周面に設けられている。
【００６７】
図７（Ｉ）に示す形成ローラ２０ａの形成刃２１が形成するパターンは、形成刃２１の形成ローラ２０ａの幅方向の位置が、形成ローラ２０ａの周方向の所定の長さ毎に周期的に連続的に変えて設けられている。具体的に形成刃２１が描く軌跡は、正弦波をなしている。形成刃２１の位置は、形成ローラ２０ａの周方向に移動するにしたがって、形成ローラ２０ａの幅方向に徐々に変わっている。そして、複数の形成刃２１は、形成ローラ２０ａの周面で正弦波を形成している。
【００６８】
図７（ＩＩ）に示す形成ローラ２０ｂの形成刃２１が形成するパターンは、形成刃２１の形成ローラ２０ｂの幅方向の位置が、形成ローラ２０ｂの周方向の所定の長さ毎に周期的に断続的に変えて設けられている。具体的に、形成刃２１が描く軌跡は、形成ローラ２０ｂの幅方向に一定の間隔を空けた２地点で、複数の形成刃２１が周方向に直線状をなし、かつ直線状をなす複数の形成刃２１が千鳥状をなして周方向に延びている。
【００６９】
図７（ＩＩＩ）に示す形成ローラ２０ｃの形成刃２１が形成するパターンは、形成刃２１の形成ローラ２０ｃの幅方向の位置が、形成ローラ２０ｃの周方向の所定の長さ毎に周期的に連続的に変えて設けられている。具体的に、形成刃２１が描く軌跡は、直線部２３ａと曲線部２３ｂとが形成ローラ２０ｃの周方向に交互に形成されている。直線部２３ａは、複数の形成刃２１を直線状に配列した部分であり、曲線部２３ｂは、複数の形成刃２１を正弦波等の曲線状に配列した部分である。なお、形成刃２１により形成される曲線部２３ｂの形状は、正弦波であることには限定されない。例えば、曲線部２３ｂの形状は円弧状であってもよい。また、曲線部２３ｂは、直線部２３ａの両側に形成することには限定されず、直線部２３ａの片側にだけ形成してもよい。
【００７０】
図７（Ｉ）から図７（ＩＩＩ）に示した各形成ローラ２０を回転させながらその周面を長手方向に送られているシート１に押し当てて引裂補助線１１を形成した場合、図７に示すように、シート１にはシート１の厚さ方向を貫通する複数の貫通部１０ａがシート１の長手方向に一定の間隔を空けて形成される。
【００７１】
図７（Ｉ）から図７（ＩＩＩ）に示した各形成ローラ２０を回転させながらその周面を長手方向に送られているシート１に押し当てて引裂補助線１１を形成することによって、シート１の幅方向の異なる位置に変えられた所定形態の引裂補助線１１がシート１の長手方向に周期的に形成される。具体的に、図７（Ｉ）に示した形成ローラ２０ａを用いた場合、図３（Ｉ）に示した引裂補助線１１ａが形成され、図７（ＩＩ）に示した形成ローラ２０ｂを用いた場合、図３（ＩＩ）に示した引裂補助線１１ｂが形成され、図７（ＩＩＩ）に示した形成ローラ２０ｃを用いた場合、図３（ＩＩＩ）に示した引裂補助線１１ｃが形成される。
【００７２】
以上に説明した形成ローラ２０を用いて引裂補助線１１を形成した場合、引裂補助線１１は、周期的に変化する形態となる。ただし、引裂補助線１１の位置がランダムに変化する形態となるように、形成ローラ２０の形成刃２１を設けてもよい。
【００７３】
以上、シート１に形成される引裂補助線１１が、貫通部１０ａと非貫通部１０ｂとからなる形態について説明した。ただし、本発明に係る引裂補助線は、貫通部１０ａと非貫通部１０ｂとからなる形態に適用することには限定されない。本発明に係る引裂補助線は、シートにハーフカット線を形成する形態にも適用することができる。「ハーフカット線」とは、シート１の一面から厚さ方向の中間部分までが凹状になされた溝である。
【００７４】
引裂補助線４１がハーフカット線である場合、引裂補助線４１は、例えば、シート１の一面側にレーザーを照射することにより形成される。照射するレーザーとしては、例えば、炭酸ガスレーザーを挙げることができる。
【００７５】
レーザーをシート１に照射した場合、アブレーションを引き起こし、図９に示したように、引裂補助線４１の幅方向の両側に盛り上がり部５０が形成されてしまう。この場合にも、シート１をロール状に巻いたときに、内側のシート１に形成された盛り上がり部５０と外側のシート１に形成された盛り上がり部５０とが重なり合うことを防止する。
【００７６】
図８（Ｉ）から図８（ＩＩＩ）は、シート１に形成された引裂補助線４１のパターンのいくつかの例を示している。図８（Ｉ）に示した引裂補助線４１ａのパターンは、図３（Ｉ）に示した引裂補助線１１ａのパターンに対応し、図８（ＩＩ）に示した引裂補助線４１ｂのパターンは、図３（ＩＩ）に示した引裂補助線１１ｂのパターンに対応し、図８（ＩＩＩ）に示した引裂補助線４１ｃのパターンは、図３（ＩＩＩ）に示した引裂補助線１１ｃのパターンに対応している。そのため、各引裂補助線４１ａ，４１ｂ，４１ｃのパターンについては、簡単に説明する。
【００７７】
図８（Ｉ）に示す引裂補助線４１ａは、曲線がシート１の長手方向に繰り返し形成され、波形が形成されている。具体的に、引裂補助線４１ａは、一定の周期でシート１の幅方向に振幅し、山谷をなす波形がシート１の長手方向に連なり、正弦波をなしている。引裂補助線４１ａの波長は、必要に応じ、シート１の長手方向に一定の長さ、又は、異なる長さに形成される。
【００７８】
引裂補助線４１ａは、例えば、レーザーを照射する照射部が単振動するように動作を制御し、長手方向に送られているシート１の一面側にレーザーを照射することにより形成する。
【００７９】
図８（ＩＩ）に示す引裂補助線４１ｂは、シート１の長手方向に延びる一定の長さの単位引裂補助線４２が、シート１の幅方向にわずかな間隔を空け、千鳥状をなしてシート１の長手方向に連ねて形成されている。
【００８０】
引裂補助線４１ｂは、例えば、レーザーの照射部を所定の周期でシート１の幅方向に移動させるように制御することにより形成する。照射部を移動させる周期を一定にした場合、単位引裂補助線４２の長さは、シート１の長手方向に一定に形成され、異なる周期で移動させた場合、単位引裂補助線４２の波長は、シート１の長手方向に異なる長さに形成される。
【００８１】
図８（ＩＩＩ）に示す引裂補助線４１ｃは、直線部４３ａと曲線部４３ｂとがシート１の長手方向に交互に形成されている。曲線部４３ｂの形状は、特に限定されず、例えば、正弦波を描くようにして形成させたり、円弧を描くように形成させたりして設けることができる。また、曲線部４３ｂは、直線部４３ａを境として、シート１の幅方向の両側に交互に形成してもよく、一方側にのみ形成してもよい。
【００８２】
引裂補助線４１ｃは、所定位置を中心として、レーザーの照射部の動作を、両側に周期的に移動する間に、中心をなす所定位置で一定の時間だけ止めるように制御して行う。
【００８３】
引裂補助線４１は、引裂補助線１１と同様に、幅を１０μｍ以上、１００μｍ以下に形成するとよく、好ましくは、３０μｍ以上、７０μｍ以下に形成するとなおよい。また、引裂補助線４１の幅方向に変わる距離は、引裂補助線の幅の２分の１倍以上に形成するとよい。
【００８４】
以上、本発明に係る引裂補助線１１，４１の形成方法によれば、次の効果を奏することができる。
【００８５】
（１）帯状のシート１が送り出されるシート１に対し、シートの長手方向に延びる引裂補助線１１，４１を形成した場合でも、引裂補助線１１，４１が形成されたシート１をロール状に巻いたときに、形成により生じるバリやアブレーションが原因となる盛り上がり部が重なり合うことが抑制される。
【００８６】
（２）引裂補助線１１，４１の位置で、バリや盛り上がり部が重なり合うことが抑制されるシート１が盛り上がることが抑制されるので、シート１をロール状に巻いたときに、巻ずれが生じることを防止することができる。その結果、ロール状に巻いたときに側縁の仕上がりが美麗になる。
【００８７】
（３）引裂補助線１１，４１を形成した後に、シート１をロール状に巻き取る際、シート１をその幅方向に揺動、すなわち、幅方向に往復して移動させることが不要になる。その結果、シート１をその幅方向に往復して移動させるための設備が不要になり、設備のコストを低廉に抑えることができる。
【００８８】
（４）バリや盛り上がり部が重なり合うことが抑制されるシート１が盛り上がることが抑制されるので、シート１に高い張力を掛けて巻き取ることができ、輸送時や保管時に層のずれが生じることを抑制することができる。その結果、ロール状に巻かれたシート１の取扱が容易にしたり、このシート１で、例えば、包装容器を製造する場合に、内容物を充填する工程で、ゆるみから生じるシート１の蛇行や折れ曲がりが発生することを防止したりすることができる。
【００８９】
（５）引裂補助線１１，４１が形成されたシート１で、例えば、包装容器を製造した場合、製造された包装容器は、引裂補助線１１，４１に沿って円滑に引き裂かれ、引き裂きが引裂補助線１１，４１から逸脱してしまうことを抑制することができる。
【実施例】
【００９０】
以下、本発明について実施例に基づいて詳細を説明する。
【００９１】
実施例１及び実施例２は、形成ローラ２０で引裂補助線１１を形成したシート１であり、実施例３及び実施例４は、レーザーを照射して引裂補助線４１を形成したシート１である。また、各実施例の効果を確認するために、２つの比較例を製作した。比較例１は、形成ローラ２０を用いてシート１の長手方向に直線状に延びる引裂補助線を形成したシート１であり、比較例２は、レーザーを照射してシート１の長手方向に直線状に延びる引裂補助線を形成したシート１である。
【００９２】
［実施例１］
実施例１は、ポリエステル層とポリエチレン層との２層構造のラミネートフィルムからなる帯状のシート１に形成ローラ２０で引裂補助線１１ａを形成することにより製作した。ポリエステル層の厚さは１２μｍであり、ポリエチレン層の厚さは４０μｍである。引裂補助線１１は、シート１を長手方向に５０ｍ／分の一定速度で送り、ポリエステル層側の面から形成ローラ２０を回転させながら押し当てることにより形成した。形成ローラ２０としては、直径が１００ｍｍのロータリーダイカットロールを使用した。
【００９３】
引裂補助線１１は、幅が０．０４ｍｍ、貫通部１０ａの長さが０．５ｍｍ、非貫通部１０ｂの長さが０．５ｍｍであるミシン目であって、図３（Ｉ）に示すように正弦波をなすパターンである。正弦波の波長は、３１４ｍｍであり、振幅は、１．０ｍｍである。
【００９４】
［実施例２］
実施例２は、実施例１と同様のシート１を用い、実施例１と同様の形成条件で直線部１３ａと曲線部１３ｂとからなる引裂補助線１１ｃを形成することにより製作した。
【００９５】
引裂補助線１１ｃは、幅、貫通部１０ａの長さ及び非貫通部１０ｂの長さが実施例３と同様のミシン目であって、図３（ＩＩＩ）に示すように、直線部１３ａと曲線部１３ｂとがシート１の長手方向に交互に形成されたパターンである。直線部１３ａの長さは１０７ｍｍであり、曲線部１３ｂは、長さが５０ｍｍ、振幅が１．０ｍｍの正弦波である。
【００９６】
［実施例３］
実施例３は、実施例１と同様のシート１にレーザーをシート１に照射してハーフカット線としての引裂補助線４１ａを形成して製作した。引裂補助線４１は、シート１を長手方向に５０ｍ／分の一定速度で送り、ポリエステル層側の面からレーザーを照射して形成した。
【００９７】
引裂補助線４１ａは、幅が０．０５ｍｍのハーフカット線であって、図８（Ｉ）に示すように正弦波をなすパターンである。正弦波の波長は、３１４ｍｍであり、振幅は、１．０ｍｍである。
【００９８】
［実施例４］
実施例４は、実施例１と同様のシート１を用い、実施例３と同様の形成条件で直線部４３ａと曲線部４３ｂとからなる引裂補助線４１ｃを形成することにより製作した。
【００９９】
引裂補助線４１ｃは、図８（ＩＩＩ）に示すように直線部４３ａと直線部４３ｂとがシート１の長手方向に交互に現れるように形成されている。直線部４３ａの長さは１０７ｍｍであり、曲線部４３ｂは、長さが５０ｍｍ、振幅が１．０ｍｍの正弦波である。
【０１００】
［比較例１］
比較例１は、実施例１と同様のシート１を用い、このシート１を長手方向に５０ｍ／分の一定速度で送り、ポリエステル層側の面から形成ローラ２０を回転させながら押し当てることにより形成した。形成ローラ２０としては、直径が１００ｍｍのロータリーダイカットロールを使用した。
【０１０１】
実施例１の引裂補助線は、幅、貫通部の長さ及び非貫通部の長さが実施例１と同様のミシン目であって、シート１の長手方向に直線状に延びる形態をなすように形成した。
【０１０２】
［比較例２］
比較例２は、実施例と同様のシート１を用い、このシート１を長手方向に５０ｍ／分の一定速度で送り、ポリエステル層側の面からレーザーを照射して引裂補助線を形成して製作した。
【０１０３】
引裂補助線は、幅が実施例３と同様であって、シート１の長手方向に直線状に延びる形態をなすように形成した。
【０１０４】
［確認テスト］
確認テストでは、引裂補助線が形成されたシート１をロール状に巻き取り、巻かれたシート１について、引裂補助線が形成された部分と形成されていない部分との直径の差をスケールで測定した。また、シート１の端部のずれが生じているか否か、及びシート１が裂けているか否かを目視で確認した。
【０１０５】
具体的に、図１に示すように、シート１がロール状に巻かれたシートロール２からシート１をその長手方向に送り出し、次いで、シート１に引裂補助線を形成し、その後、シート１をロール状に再び巻き取り、シートロール３を形成した。巻き取りは、紙製の芯材にシート１を１０００ｍ巻き付けて行った。芯材の厚さは８ｍｍであり、直径（内径）は７６ｍｍ（３インチ）である。確認テストは、実施例１〜４及び比較例１，２について行った。
【０１０６】
［テストの結果］
表１は、実施例１、実施例２及び比較例１について、確認テストの結果をまとめたものである。
【０１０７】
【表１】
2018111269.tif 000003
【０１０８】
表１に示すように、直径の差に関して、実施例１の直径の差は、約２ｍｍであり、実施例２の直径の差は、約３ｍｍであった。これに対し、比較例１の直径の差は、約８ｍｍであった。シート１の端部のずれに関して、実施例１及び実施例２は、ずれが無く、比較例１は、ずれが生じていた。シート１が裂けている否かについて、実施例１、実施例２及び比較例１のいずれにもシート１は裂けていなかった。
【０１０９】
表２は、実施例３、実施例４及び比較例２について、確認テストの結果をまとめたものである。
【０１１０】
【表２】
2018111269.tif 000004
【０１１１】
表２に示すように、直径の差について、実施例３の直径の差は、約６ｍｍであり、実施例４の直径の差は、約５ｍｍであった。これに対し、比較例２の直径の差は、約１４ｍｍであった。シート１の端部のずれについて、実施例３及び実施例４は、ずれが無く、比較例２は、ずれが生じていた。そして、シート１が裂けているか否かについて、実施例３及び実施例４では、シート１は裂けておらず、比較例２では、シート１が裂けていた。
【０１１２】
確認テストの結果から、シート１の幅方向の異なる位置に変わる所定形態の引裂補助線をシート１の長手方向に周期的に出現させて形成した場合、次の効果を奏することが分かる。
【０１１３】
（１）形成ローラ２０による形成、及びレーザーの照射による形成のいずれに関しても、引裂補助線をシート１長手方向に直線状に形成した場合に比べて、引裂補助線の位置でシート１が盛り上がることを抑制することができる。
【０１１４】
（２）形成ローラ２０による形成、及びレーザーの照射による形成のいずれに関しても、引裂補助線の位置でシート１が盛り上がることを抑制することができるので、シート１をロール状に巻いたときに、側縁を径方向に揃えることができ、シートロールを美麗な形態に仕上げることができる。
【０１１５】
（３）また、引裂補助線の位置でシート１が盛り上がることを抑制することができるので、引裂補助線の位置でシート１が裂けることを抑制することができる。このことは、シート１をロール状に巻いたときに、引裂補助線の近傍にて幅方向に引張の応力の発生が抑制されたためであると思料する。
【符号の説明】
【０１１６】
１  シート
２，３  シートロール
５，６  案内ローラ
７  支持ローラ
１０ａ  貫通部
１０ｂ  非貫通部
１１，１１ａ，１１ｂ，１１ｃ  引裂補助線
１２  貫通部の群
１３ａ  直線部
１３ｂ  曲線部
２０，２０ａ，２０ｂ，２０ｃ  形成ローラ
２１  形成刃
２３ａ  直線部
２３ｂ  曲線部
４１，４１ａ，４１ｂ，４１ｃ  引裂補助線
４２  単位引裂補助線
４３ａ  直線部
４３ｂ  曲線部
【図１】
2018111269.tif 000005
【図２】
2018111269.tif 000006
【図３】
2018111269.tif 000007
【図４】
2018111269.tif 000008
【図５】
2018111269.tif 000009
【図６】
2018111269.tif 000010
【図７】
2018111269.tif 000011
【図８】
2018111269.tif 000012
【図９】
2018111269.tif 000013